(57)【要約】【課題】ネイル処理した足指の爪を露出させてその美しさを直接見せることができる足指抜きストッキングを提供する。【解決手段】下端１に開口部２を形成する。下端開口端縁部３を、１本の連結糸４によって、２個の足指差込用孔部５に、区画形成する。一方の足指差込用孔部５に、親指Ｆ1 と人指し指Ｆ2 を差込むとともに、他方の足指差込用孔部５に、中指Ｆ3 と薬指4 と小指Ｆ5 を差込むように、連結糸４を配設する。【選択図】図２
0003171073.tif 000002
【実用新案登録請求の範囲】
【請求項１】
下端（１）に開口部（２）を形成し、下端開口端縁部（３）を、１本又は２本の連結糸（４）によって、２個又は３個の足指差込用孔部（５）に、区画形成したことを特徴とする足指抜きストッキング。
【請求項２】
下端（１）に開口部（２）を形成し、下端開口端縁部（３）を、１本の連結糸（４）によって、２個の足指差込用孔部（５）に、区画形成した足指抜きストッキングであって、
一方の上記足指差込用孔部（５）に、親指（Ｆ1 ）と人指し指（Ｆ2 ）を差込むとともに、他方の上記足指差込用孔部（５）に、中指（Ｆ3 ）と薬指（Ｆ4 ）と小指（Ｆ5 ）を差込むように、上記連結糸（４）を配設したことを特徴とする足指抜きストッキング。
【請求項３】
下端（１）に開口部（２）を形成し、下端開口端縁部（３）を、１本の連結糸（４）によって、２個の足指差込用孔部（５）に、区画形成した足指抜きストッキングであって、
一方の上記足指差込用孔部（５）に、親指 （Ｆ1 ）を差込むとともに、他方の上記足指差込用孔部（５）に、人指し指（Ｆ2 ）と中指（Ｆ3 ）と薬指（Ｆ4 ）と小指（Ｆ5 ）を差込むように、上記連結糸（４）を配設したことを特徴とする足指抜きストッキング。
【請求項４】
下端（１）に開口部（２）を形成し、下端開口端縁部（３）を、２本の連結糸（４）によって、３個の足指差込用孔部（５）に、区画形成した足指抜きストッキングであって、
ひとつの上記足指差込用孔部（５）に、親指（Ｆ1 ）を差込むとともに、他のひとつの上記足指差込用孔部（５）に、人指し指（Ｆ2 ）と中指（Ｆ3 ）を差込み、別の上記足指差込用孔部（５）に、薬指（Ｆ4 ）と小指（Ｆ5 ）を差込むように、２本の上記連結糸（４）を配設したことを特徴とする足指抜きストッキング。
【考案の詳細な説明】
【技術分野】
【０００１】
本考案は、足指抜きストッキングに関する。
【背景技術】
【０００２】
一般に、ストッキングは指先が閉じている（例えば、特許文献１参照）。
【０００３】
しかし、足指の爪にネイル（ペディキュア）を施していても、ストッキングに被覆されて、ネイルが美しく見えないという欠点があった。
【先行技術文献】
【特許文献】
【０００４】
【特許文献１】特開２０１１−２６７３５号公報
【考案の概要】
【考案が解決しようとする課題】
【０００５】
解決しようとする課題は、ネイル処理した爪がストッキングに被覆されて、ネイルが美しく見えない点である。
【課題を解決するための手段】
【０００６】
そこで、本考案に係る足指抜きストッキングは、下端に開口部を形成し、下端開口端縁部を、１本又は２本の連結糸によって、２個又は３個の足指差込用孔部を、区画形成したものである。
【０００７】
また、下端に開口部を形成し、下端開口端縁部を、１本の連結糸によって、２個の足指差込用孔部に、区画形成した足指抜きストッキングであって、一方の足指差込用孔部に、親指と人指し指を差込むとともに、他方の足指差込用孔部に、中指と薬指と小指を差込むように、連結糸を配設したものである。
【０００８】
また、下端に開口部を形成し、下端開口端縁部を、１本の連結糸によって、２個の足指差込用孔部に、区画形成した足指抜きストッキングであって、一方の足指差込用孔部に、親指を差込むとともに、他方の足指差込用孔部に、人指し指と中指と薬指と小指を差込むように、連結糸を配設したものである。
【０００９】
また、下端に開口部を形成し、下端開口端縁部を、２本の連結糸によって、３個の足指差込用孔部に、区画形成した足指抜きストッキングであって、ひとつの足指差込用孔部に、親指を差込むとともに、他のひとつの足指差込用孔部に、人指し指と中指を差込み、別の足指差込用孔部に、薬指と小指を差込むように、２本の連結糸を配設したものである。
【考案の効果】
【００１０】
本考案の足指抜きストッキングによれば、ネイル処理した（足指の）爪を露出させてその美しさを直接見せることができる。また、下端がズレを生じることを防止することができる（不意に移動することを防止することができる）。また、連結糸を１本又は２本縫製するのみで、容易に製造することができるとともに、（足指差込用孔部５は２個又は３個であるので）容易に着用することができる。
【図面の簡単な説明】
【００１１】
【図１】本考案の第１の実施の形態の使用状態を示す正面図である。
【図２】要部拡大斜視図である。
【図３】正面図である。
【図４】図３の要部拡大図である。
【図５】図４の底面図である。
【図６】第２の実施の形態の使用状態を示す要部拡大斜視図である。
【図７】第２の実施の形態の底面図である。
【図８】第３の実施の形態の使用状態を示す要部拡大斜視図である。
【図９】第３の実施の形態の底面図である。
【考案を実施するための形態】
【００１２】
図１・図２は、本考案の第１の実施の形態の使用状態を示す。この足指抜きストッキングは、下端１の開口部２から足指Ｆの爪Ｎが露出して、ネイル処理した爪Ｎを美しく（直接に）見せることができる。
【００１３】
図３〜図５に示すように、下端１に開口部２が形成される。下端開口端縁部３が、１本の連結糸４によって、２個の足指差込用孔部５に、区画形成される。図１・図２に示すように、一方の足指差込用孔部５に、親指Ｆ1 と人指し指Ｆ2 を差込むとともに、他方の足指差込用孔部５に、中指Ｆ3 と薬指Ｆ4 と小指Ｆ5 を差込むように、連結糸４が配設される。
【００１４】
図６・図７は、第２の実施の形態を示す。一方の足指差込用孔部５に、親指Ｆ1 を差込むとともに、他方の足指差込用孔部５に、人指し指Ｆ2 と中指Ｆ3 と薬指Ｆ4 と小指Ｆ5 を差込むように、連結糸４が配設される。その他の構成は、第１の実施の形態と同様である。
【００１５】
図８・図９は、第３の実施の形態を示す。下端開口端縁部３が、２本の連結糸４によって、３個の足指差込用孔部５に、区画形成される。ひとつの足指差込用孔部５に、親指Ｆ1 を差込むとともに、他のひとつの足指差込用孔部５に、人指し指Ｆ2 と中指Ｆ3 を差込み、別の足指差込用孔部５に、薬指Ｆ4 と小指Ｆ5 を差込むように、２本の連結糸４が配設される。その他の構成は、第１の実施の形態と同様である。
【００１６】
なお、本考案は、設計変更可能であって、例えば、２本の連結糸４を、ひとつの足指差込用孔部５に、親指Ｆ1 を差込むとともに、他のひとつの足指差込用孔部５に、人指し指Ｆ2 と中指Ｆ3 と薬指Ｆ4 を差込み、さらに他の足指差込用孔部５に、小指Ｆ5 を差込むように、配設するも良い。また、図１に於て、膝下ストッキングを図示したが、全体をパンティストッキングとするも良い。
【００１７】
以上のように、本考案は、下端１に開口部２を形成し、下端開口端縁部３を、１本又は２本の連結糸４によって、２個又は３個の足指差込用孔部５に、区画形成したので、ネイル処理した（足指Ｆの）爪Ｎを露出させてその美しさを直接見せることができる。また、着用時に連結糸４が足指Ｆと足指Ｆの間に配設されるので、下端１がズレを生じることを防止することができる（不意に図１・図２・図６・図８の矢印Ｇ方向に移動することを防止することができる）。また、連結糸４を１本又は２本縫製するのみで、容易に製造することができるとともに、容易に着用することができる。
【００１８】
また、下端１に開口部２を形成し、下端開口端縁部３を、１本の連結糸４によって、２個の足指差込用孔部５に、区画形成した足指抜きストッキングであって、一方の足指差込用孔部５に、親指Ｆ1 と人指し指Ｆ2 を差込むとともに、他方の足指差込用孔部５に、中指Ｆ3 と薬指Ｆ4 と小指Ｆ5 を差込むように、連結糸４を配設したので、ネイル処理した（足指Ｆの）爪Ｎを露出させてその美しさを直接見せることができる。また、着用時に連結糸４が人指し指Ｆ2 と中指Ｆ3 の間に配設されるので、下端１がズレを生じることを効率良く防止することができる。また、連結糸４を１本縫製するのみで、容易に製造することができるとともに、容易に着用することができる。
【００１９】
また、下端１に開口部２を形成し、下端開口端縁部３を、１本の連結糸４によって、２個の足指差込用孔部５に、区画形成した足指抜きストッキングであって、一方の足指差込用孔部５に、親指Ｆ1 を差込むとともに、他方の足指差込用孔部５に、人指し指Ｆ2 と中指Ｆ3 と薬指Ｆ4 と小指Ｆ5 を差込むように、連結糸４を配設したので、ネイル処理した（足指Ｆの）爪Ｎを露出させてその美しさを直接見せることができる。また、着用する際に連結糸４が親指Ｆ1 と人指し指Ｆ2 の間に配設されるので、容易に着用することができる。また、着用時に連結糸４が親指Ｆ1 と人指し指Ｆ2 の間に配設されるので、下端１がズレを生じることを防止することができる（不意に移動することを防止することができる）。また、連結糸４を１本縫製するのみで、容易に製造することができる。
【００２０】
また、下端１に開口部２を形成し、下端開口端縁部３を、２本の連結糸４によって、３個の足指差込用孔部５に、区画形成した足指抜きストッキングであって、ひとつの足指差込用孔部５に、親指Ｆ1 を差込むとともに、他のひとつの足指差込用孔部５に、人指し指Ｆ2 と中指Ｆ3 を差込み、別の足指差込用孔部５に、薬指Ｆ4 と小指Ｆ5 を差込むように、２本の連結糸４を配設したので、ネイル処理した（足指Ｆの）爪Ｎを露出させてその美しさを直接見せることができる。また、着用時に連結糸４が親指Ｆ1 と人指し指Ｆ2 の間、及び、中指Ｆ3 と薬指Ｆ4 の間の２箇所に配設されるので、下端１がズレを生じることを確実に防止することができる（不意に移動することを防止することができる）。また、連結糸４を２本縫製するのみで、容易に製造することができるとともに、容易に着用することができる。
【符号の説明】
【００２１】
１  下端
２  開口部
３  下端開口端縁部
４  連結糸
５  足指差込用孔部
Ｆ1   親指
Ｆ2   人指し指
Ｆ3   中指
Ｆ4   薬指
Ｆ5   小指
【図１】
0003171073.tif 000003
【図２】
0003171073.tif 000004
【図３】
0003171073.tif 000005
【図４】
0003171073.tif 000006
【図５】
0003171073.tif 000007
【図６】
0003171073.tif 000008
【図７】
0003171073.tif 000009
【図８】
0003171073.tif 000010
【図９】
0003171073.tif 000011